(57)【要約】      （修正有）【課題】電動工具用スイッチにおいて、ハウジングと制御部材とを簡単に電気的に接続させ、振動等が発生しても該電気的な接続が不完全にならないようにすること。【解決手段】ハウジング２に制御部材５を配設し、該ハウジングに設けられたスイッチ端子７と前記制御部材とを電気的に接続した電動工具用スイッチであって、前記ハウジングに振動が付与されても、制御部材とスイッチ端子とが安定して接続を維持するように、制御部材とスイッチ端子との間に電気的に接続を維持する弾性体１０ａ，１０ｂを配設したので、ハウジングと制御部材とを簡単に電気的に接続させることができ、電動工具用スイッチに振動等が付与されたとしても、半田付けによって接続させた場合のようにクラックが生じることがなく、安定して電気的な接続を維持して、該電気的な接続が不完全にならないようにできる。【選択図】  図１
2004351545.tif 000002
【特許請求の範囲】
【請求項１】
ハウジングに制御部材を配設し、該ハウジングに設けられたスイッチ端子と前記制御部材とを電気的に接続した電動工具用スイッチであって、
前記ハウジングに振動が付与されても、制御部材とスイッチ端子とが安定して接続を維持するように、制御部材とスイッチ端子との間に電気的に接続を維持する弾性体を配設したこと
を特徴とする電動工具用スイッチ。
【請求項２】
前記弾性体は、
板バネであること
を特徴とする請求項１に記載の電動工具用スイッチ。
【請求項３】
前記制御部材は、
ヒートシンクが接続された電力制御素子で構成されること
を特徴とする請求項１に記載の電動工具用スイッチ。
【発明の詳細な説明】
【０００１】
【発明の属する技術分野】
本発明は、電動工具に取り付けて使用され、電動工具のオン・オフを行う電動工具用スイッチに関するものである。
【０００２】
【従来の技術】
従来の電動工具用のスイッチにおける該スイッチのハウジングに制御部材を電気的に接続させる一般的な方法を図６乃至図９を用いて説明する。図６及び図７に示したように、電動工具用スイッチにおけるスイッチ本体１のハウジング２に設けられた制御部材収納部３に電力制御素子４が備えられた制御部材５を配設させる。
【０００３】
ハウジング２と制御部材５とは、図８及び図９に示したように、該ハウジング２の制御部材収納部３に制御部材５を配設させた状態で、該制御部材５に配設された電力制御素子４のアノード端子に接続された放熱板６の接続部６ａと前記ハウジング２のスイッチ端子７とを半田付けし、前記電力制御素子４のカソード端子８と前記ハウジング２のスイッチ端子９とを半田付けして電気的に接続させている。
【０００４】
また、半田付けによらないで端子と端子とを電気的に接続させる方法としては、例えば、信号コンタクトと該信号コンタクトを保持したハウジングと接続対象物を保持するためのカバーとを含み、前記カバーの回動を伴って前記接続対象物を前記信号コンタクトに接続させるようにしたコネクタにおいて、前記ハウジングはスイッチ部を備え、前記カバーは、保持した接続対象物に押圧されて弾性変位するバネ片を備え、前記カバーの回動にしたがい、弾性変位したバネ片が前記スイッチ部を操作するようにしたコネクタがある（特許文献１参照）。
【０００５】
【特許文献１】
特開２００３−８６３０２号公報（第２頁、図４）
【０００６】
【発明が解決しようとする課題】
しかしながら、前記従来技術において、ハウジング２と制御部材５との電気的な接続を半田付けによって行った場合には、該半田付けによって生じる熱で前記ハウジング２を形成する樹脂部分が溶解することがあると共に、作業性が悪く、また、振動が発生する電動工具においては、該振動により前記半田付け部にクラック等が生じて前記ハウジング２と制御部材５との電気的な接続が不完全になることがあるため、該ハウジング２に制御部材５の電力制御素子４と放熱板６とを接着剤等で固定させる必要があり、組み立て工程が煩雑になるという問題点を有している。
【０００７】
従って、従来の電動工具用スイッチにおいては、ハウジングと制御部材とを簡単に電気的に接続させ、振動等が発生しても該電気的な接続が不完全にならないようにするということに解決しなければならない課題を有している。
【０００８】
【課題を解決するための手段】
上記した従来例の課題を解決する具体的手段として本発明に係る発明として、ハウジングに制御部材を配設し、該ハウジングに設けられたスイッチ端子と前記制御部材とを電気的に接続した電動工具用スイッチであって、前記ハウジングに振動が付与されても、制御部材とスイッチ端子とが安定して接続を維持するように、制御部材とスイッチ端子との間に電気的に接続を維持する弾性体を配設したことを特徴とする電動工具用スイッチを提供するものである。
【０００９】
この発明において、前記弾性体は、板バネであること；前記制御部材は、ヒートシンクが接続された電力制御素子で構成されること；を付加的な要件として含むものである。
【００１０】
本発明に係る電動工具用スイッチは、ハウジングに振動が付与されても、制御部材とスイッチ端子とが安定して接続を維持するように、制御部材とスイッチ端子との間に電気的に接続を維持する弾性体を配設したことにより、ハウジングと制御部材とを簡単に電気的に接続させ、振動等が発生しても該電気的な接続が不完全にならないようにすることができる。
【００１１】
【発明の実施の形態】
次に、本発明を具体的な実施の形態に基づいて詳しく説明する。
本発明の実施の形態に係る電動工具用のスイッチを図１乃至図５を用いて説明する。なお、この実施の形態において、前記従来技術と同様の構成の部分については、図面の理解を容易にするため、同一の符号を付して説明する。
【００１２】
図１には、電動工具用スイッチの構成部材を分解した斜視図を略示して示してあり、スイッチ本体１を構成するハウジング２は、該ハウジング２の上部材２ａと底部材２ｂとに分割されている。
【００１３】
ハウジング２の底部材２ｂには、制御部材収納部３が形成されている。該制御部材収納部３には、図示していないトリガースイッチと電気的に接続するスイッチ端子７、９が所定の位置に配設される。
【００１４】
電動工具用スイッチは、前記トリガースイッチを操作することにより、電源のオン・オフを切り換えられるようになっている。
【００１５】
図２（ａ）には、ハウジング２の底部材２ｂの平面図を示してあり、図２（ｂ）には、制御部材５の下側からみた平面図を示してある。スイッチ端子７、９には、弾性体１０ａ、１０ｂが配設されている。この弾性体１０ａ、１０ｂとしては、例えば、板バネ等を使用することができる。
【００１６】
制御部材収納部３に配設される制御部材５は、電力制御素子４と放熱板６とプリント配線基板１１とから構成されており、放熱板６と電力制御素子４のアノード端子とが接続された状態でプリント配線基板１１に接続される。この電力制御素子４としては、例えば、シリコン制御整流器（ＳＣＲ）またはトライアック等を使用することができる。
【００１７】
放熱板６は、下部側を折り曲げて形成して接続部６ａとしている。即ち、前記放熱板６と電力制御素子４のアノード端子とが電気的に接続されていることから、前記接続部６ａは、前記電力制御素子４のアノード端子と同視することができるのである。
【００１８】
また、電力制御素子４をプリント配線基板１１に接続する際、該電力制御素子４のカソード端子８は、折り曲げられて前記プリント配線基板１１に接続されている。
【００１９】
図３には、ハウジング２の底部材２ｂに設けられた制御部材収納部３に制御部材５を配設させた状態の平面図を示してある。図に示したように、前記制御部材収納部３は、前記制御部材５がピッタリと収納できるように形成されている。
【００２０】
図４には、スイッチ本体１の側面を略示的に示し、ハウジング２は一部を破断して示してある。図に示したように、制御部材５に配設された電力制御素子４のアノード端子に接続された放熱板６の接続部６ａと前記ハウジング２に配設されたスイッチ端子７とが弾性体１０ａを介して電気的に接続されており、前記電力制御素子４の折り曲げられたカソード端子８と前記ハウジング２に配設されたスイッチ端子９とが弾性体１０ｂを介して電気的に接続されている。
【００２１】
図５には、電動工具用スイッチの簡単な回路図を示してある。この回路図においては、点線で囲んでＳＷと示した内側が電動工具用スイッチであり、その他の回路は、該電動工具用スイッチに接続されるモータ等の回路を示してある。
【００２２】
電力制御素子４ａのアノード端子は、弾性体１０ａ１を介してスイッチ端子７ａに接続されており、前記電力制御素子４ａのカソード端子は、弾性体１０ｂ１を介してスイッチ端子９ａに接続されている。
【００２３】
このように、ハウジング２のスイッチ端子７と制御部材５に配設された電力制御素子４のアノード端子の代わりである接続部６ａとの間に弾性体１０ａを配設し、前記ハウジング２のスイッチ端子９と前記電力制御素子４のカソード端子８との間に弾性体１０ｂを配設して、ハウジング２のスイッチ端子７、９と制御部材５とを電気的に接続することにより、ハウジング２と制御部材５とを簡単に電気的に接続させることができるのである。
【００２４】
そのため、電動工具のように振動が発生する装置のスイッチとして使用したとしても、半田付けによって接続させた場合のようにクラックが生じることがなく、安定して電気的な接続を維持して、該電気的な接続が不完全にならないようにできるのである。
【００２５】
つまり、例えば、放熱板６の存在により前記制御部材５の重量が増加し、振動によって該制御部材５に大きな力のモーメントが作用したとしても、前記振動を弾性体１０ａ、１０ｂが吸収するので、電動工具を使用して電動工具用スイッチのハウジング２に振動が付与されても、弾性体１０ａ、１０ｂによって制御部材５とスイッチ端子７、９との接続が安定して維持されるため、前記ハウジング２と前記放熱板６とを接着等しなくても、ハウジング２と制御部材５との導通が遮断されることはないのである。
【００２６】
上記実施の形態においては、ハウジング２の底部材２ｂに設けられた制御部材収納部３に、制御部材５を直接配設させた場合について説明したが、ハウジング２のスイッチ端子７、９と制御部材５との接続に、半田付け等が必要なく、弾性体１０ａ、１０ｂを介して簡単に接続ができるため、例えば、前記制御部材５とハウジング２の上部材２ａとを組み合わせた状態にして、前記弾性体１０ａ、１０ｂが配設された底部材２ｂと前記制御部材５が配設されたハウジング２の上部材２ａとを組み合わせるようにしても良い。
【００２７】
【発明の効果】
以上説明したように、本発明に係る電動工具用スイッチは、ハウジングに制御部材を配設し、該ハウジングに設けられたスイッチ端子と前記制御部材とを電気的に接続した電動工具用スイッチであって、前記ハウジングに振動が付与されても、制御部材とスイッチ端子とが安定して接続を維持するように、制御部材とスイッチ端子との間に電気的に接続を維持する弾性体を配設したことにより、ハウジングと制御部材とを簡単に電気的に接続させることができ、電動工具用スイッチに振動等が付与されたとしても、半田付けによって接続させた場合のようにクラックが生じることがなく、安定して電気的な接続を維持して、該電気的な接続が不完全にならないようにできるという優れた効果を奏する。
【図面の簡単な説明】
【図１】本発明の実施の形態に係る電動工具用スイッチの構成部材を分解し略示的に示した斜視図である。
【図２】（ａ）は、同電動工具用スイッチのハウジングの底部材を略示的に示した平面図であり、（ｂ）は、同電動工具用スイッチの制御部材を略示的に示した下側からみた平面図である。
【図３】同電動工具用スイッチのハウジングの底部材に設けられた制御部材収納部に制御部材を配設させた状態を略示的に示した平面図である。
【図４】同電動工具用スイッチのスイッチ本体を略示的に示し、該スイッチ本体のハウジングの一部を破断して示した側面図である。
【図５】同電動工具用スイッチの簡単な回路図である。
【図６】従来例である電動工具用スイッチのハウジングの底部材を略示的に示した平面図である。
【図７】同電動工具用スイッチのハウジングの底部材を略示的に示した側面図である。
【図８】同電動工具用スイッチのハウジングの底部材に設けられた制御部材収納部に制御部材を配設させた状態を略示的に示した平面図である。
【図９】同電動工具用スイッチのハウジングの底部材に設けられた制御部材収納部に制御部材を配設させた状態を略示的に示した側面図である。
【符号の説明】
１  スイッチ本体
２  ハウジング
２ａ  ハウジングの上部材
２ｂ  ハウジングの底部材
３  制御部材収納部
４、４ａ  電力制御素子
５  制御部材
６  放熱板
６ａ  接続部
７、７ａ、９、９ａ  スイッチ端子
８  カソード端子
１０ａ、１０ａ１、１０ｂ、１０ｂ１  弾性体
１１  プリント配線基板
【図１】
2004351545.tif 000003
【図２】
2004351545.tif 000004
【図３】
2004351545.tif 000005
【図４】
2004351545.tif 000006
【図５】
2004351545.tif 000007
【図６】
2004351545.tif 000008
【図７】
2004351545.tif 000009
【図８】
2004351545.tif 000010
【図９】
2004351545.tif 000011